(57)【要約】本発明は避雷器に関し、その避雷器は、少なくとも一つのバリスタブロック１と、少なくとも一つの端部取付け部材３と、その端部取付け部材３に引張荷重でバリスタブロック１を堅固に保持する、少なくとも一つの補強要素９と、その端部取付け部材３に引張荷重で補強要素９を堅固に保持する、少なくとも一つの固定要素２７とを有し、その固定要素２７は、補強要素９に食い込む、少なくとも一つの刃部２９を有するものである。固定要素２７は、好ましくは食い込み環ねじ接続である。
2008543036.tif 000002
【特許請求の範囲】
【請求項１】
少なくとも一つのバリスタブロックと、
少なくとも一つの端部取付け部材と、
前記バリスタブロックを前記端部取付け部材に堅固に保持する、少なくとも一つの補強要素と、
前記補強要素を前記端部取付け部材に堅固に保持する、少なくとも一つの固定要素と、
を具える避雷器であって、
前記固定要素が、前記補強要素へ食い込む少なくとも一つの刃部を有することを特徴とする、避雷器。
【請求項２】
請求項１に記載の避雷器であって、
前記バリスタブロックが、金属酸化物、好ましくは酸化亜鉛よりなることを特徴とする、避雷器。
【請求項３】
請求項１または請求項２に記載の避雷器であって、
前記端部取付け部材が、金属、好ましくはアルミニウムよりなることを特徴とする、避雷器。
【請求項４】
請求項１から請求項３までの何れかに記載の避雷器であって、
前記避雷器が、仕切りを有するハウジングを備えることを特徴とする、避雷器。
【請求項５】
請求項１から請求項４までの何れかに記載の避雷器であって、
前記補強要素が、前記端部取付け部材と前記バリスタブロックとを引張荷重で一体的に保持する、ガラス繊維強化プラスチックのロッドまたはケーブルであることを特徴とする、避雷器。
【請求項６】
請求項５に記載の避雷器であって、
前記固定要素の前記刃部が、前記ガラス繊維強化プラスチックのロッドまたは前記ケーブルを囲繞して当該ガラス繊維強化プラスチックのロッドまたは当該ケーブルの表面に食い込む、食い込み環であることを特徴とする、避雷器。
【請求項７】
請求項５に記載の避雷器であって、
前記固定要素がくさびであり、
前記くさびは、当該くさびの、前記補強要素に対向する側で食い込み刃の形状をした前記刃部を有して、前記端部取付け部材の対応する傾斜面と相互作用し、
前記刃部は、引張荷重を受けた場合に前記くさびおよび前記傾斜面によって前記補強要素に食い込むことを特徴とする、避雷器。
【請求項８】
請求項１から請求項７までの何れかに記載の避雷器であって、
複数の刃部が、一つの前記固定要素に形成されて前記補強要素と相互作用することを特徴とする、避雷器。
【請求項９】
請求項１に記載の避雷器であって、
前記固定要素が、前記補強要素および前記端部取付け部材にかみ合い方式で接続されていることを特徴とする、避雷器。
【請求項１０】
請求項１から請求項９までの何れかに記載の避雷器であって、
前記刃部が、前記固定要素に前記引張荷重に対し反対方向へ食い込むことを特徴とする、避雷器。
【請求項１１】
請求項７に記載の避雷器であって、
前記補強要素が、ガラス繊維強化プラスチック材料からなる、管状に対するセグメントであることを特徴とする、避雷器。
【発明の詳細な説明】
【技術分野】
【０００１】
本発明は、かご型の避雷器に関するものであり、かご型の避雷器は、一例として特願昭６２−１４９５１１号から知られている。避雷器は、電力供給系統中で通電中のケーブルと接地との間に接続され、過電圧が回路に生じた場合にその過電圧を接地へと消散させ、それにより電力供給系統中の他の要素を保護する。このような避雷器は、二つの連結要素間に保持された積層バリスタブロックを有する。この配置はハウジング内に収められている。
【背景技術】
【０００２】
機械的負荷が加えられた場合においてもバリスタブロック相互の良好な接触を確実にするために、積層は加圧下で一体的に保持されなければならない。かご型の避雷器の場合において、積層の一体化は、二つの端部取付け部材（エンドフィッティング）に張力をかけて保持された、通常はロッドまたはケーブル、好ましくはガラス繊維強化プラスチックのロッド（ＧＦＣロッド）よりなる補強要素を用いて達成される。
【０００３】
その様な避雷器の一つの課題は、野外に避雷器が設置された場合に生じる機械的負荷に対しても必要な強度が維持されるように、補強要素を端部取付け部材に確実に取り付けることである。
【０００４】
前述の日本国特許出願においてこの課題は、補強要素が挿入される溝をバリスタブロックの積層方向へ端部取付け部材に設け、そして補強要素の端部に、端部取付け部材の溝より直径が大きいナットをネジ締めするネジ山を備えることにより、基本的にかみ合い接続を用いて補強要素を保持することで解決されている。
【０００５】
この解決方法は避雷器を効果的な方法で設計することを可能にするが、補強要素として用いられるＧＦＣロッドへの損傷を与えないネジ切りという問題をもたらす。そのネジ切りは、複雑で高コストなものである。
【０００６】
更なる選択肢が、補強要素を避雷器の端部取付け部材に固定できる方法として欧州特許出願第９３９１５３４３．３号明細書から知られている。特にこの文献では、補強要素の長手方向に直角に延在して、ロッドを通るネジなし穴を貫通するピンまたはネジを用いて補強要素が堅固に保持された避雷器が提案されている。そのピンおよびネジは、端部取付け部材の適切な凹部またはネジ穴に保持される。
【０００７】
補強要素として用いられるＧＦＣロッドにその長手方向に対して直角に穴を形成することは、ＧＦＣロッドにネジ切りするより相当容易であるが、この長手方向に対して直角に穴を形成した構造は、補強要素が穴の部分で弱くなり、それにより補強要素が裂けてしまう危険性を生じる。
【０００８】
前述の欧州特許出願では更に、くさびを用いて補強要素を端部取付け部材に固定する選択肢も開示される。このために、バリスタブロックの積層の中央に向かって先細になっているくさびが、各補強要素と端部取付け部材の対応する傾斜面との間に配置され、そして補強要素と端部取付け部材の対応する傾斜面とは端部取付け部材の外側部分からの半径方向への圧力により一体的に保持される。もし、引張荷重が補強要素に加えられると、静止摩擦がくさびを一緒に引き出すようにし、このことは、その関連するくさびと端部取付け部材との間の摩擦係止または圧力嵌めにより補強要素が保持されるのを確実にする。
【０００９】
加えて、ドイツ国特許出願公開第１９９４０９３９号明細書では、バリスタブロックの積層の中央の方向へ円錐形のテーパー状をなすと共に可動側壁を有するスリーブを端部取付け部材の円錐形の穴へ差し込むことで端部取付け部材へ補強要素を保持する選択肢が開示され、そしてそのスリーブは、締め付けスリーブとして、既に参照した欧州特許出願と同様に摩擦係止接続または圧力嵌め接続を用いて、張力下で、関連する補強要素を堅固に保持している。
【００１０】
最後に、国際公開第００／５５８６９パンフレットでは、端部に圧着スリーブを備える補強要素が提案されており、この方法により、補強要素が端部取付け部材のガイド溝を通って滑ることを防止している。
【発明の開示】
【発明が解決しようとする課題】
【００１１】
上述の文献の全ての場合において、補強要素は端部取付け部材へ摩擦係止または圧力嵌めにより保持されており、必要な引張強度を加えることは困難であった。特に、避雷器が曲げ荷重を受けた場合に、非常に強い張力がその避雷器の片側に発生してしまっていた。
【００１２】
圧着スリーブは、補強要素が張力を受けた状態に保持されている間に適用されなければならないから、圧着スリーブを用いた避雷器を製造するのは非常に困難であった。圧着処理はまた、このことが明白でなければロッドを傷つけることになり得る。
【００１３】
これらの避雷器の場合において、補強要素は端部取付け部材にネジを用いて保持され、これは必然的にネジ部分での補強要素の相当な脆弱化をもたらす。
【００１４】
従って本発明の目的は、容易に製造でき、そして補強要素が端部取付け部材にしっかりと固定されることを確実にする、かご型の一般的な型式の避雷器を提供することにある。
【課題を解決するための手段】
【００１５】
この目的は、請求項１に記載の避雷器によって達成される。従属する請求項は、本発明の更に有利な改良に関する。
【発明を実施するための最良の形態】
【００１６】
本発明は、添付の図面を参照して、以下に詳細に記載される。
【００１７】
図１に示すかご型の避雷器は、少なくとも一つのバリスタブロック１を有する。既知の、電圧依存抵抗を有するセラミックウェハ（可変抵抗器）を、バリスタブロック１として用い得る。電圧が低い時には、バリスタブロック１は実質的に完全な絶縁体のように働き、一方で、バリスタブロック１は高電圧では高い導電性を有する。従来市販されているバリスタブロックは、酸化亜鉛（ＺｎＯ）を主成分として製造されている。しかし本発明は、酸化亜鉛を用いた形式の避雷器に限定されず、例えば、他の金属酸化物およびシリコンカーバイドもバリスタブロックに使用することができる。更に、追加のブロック、例えば金属ブロックまたは放電ブロックも、バリスタブロック１に加えて積層中に含めることができ、この方法により避雷器の長さを各用途の要求に適合できる。
【００１８】
従来のバリスタブロック１は、円柱形状で、例えば直径５ｃｍ、高さ約４ｃｍのものである。ここでは詳細に示さないアルミニウム電極がバリスタブロック１の両側に用いられ、良好な接触を確実にする。接触を更に改善するために、図示しない薄いアルミニウム円盤をバリスタブロック１の間に設置することも同じく通常のことである。
【００１９】
図１に示される避雷器の場合、バリスタブロック１の堆積により形成された積層は、例えばバリスタブロック１と、場合により他方の上部にある金属ブロックとからなり、二つの端部取付け部材３の間に保持されている。端部取付け部材３は通常、アルミニウムまたはステンレス鋼で形成されると共に、例えば避雷器の外側に突出しかつバリスタブロック１と良好な電気接触をなす中央ネジ４を用いて、既存の電気設備または電力供給ネットワークに容易に組み込むことができるように設計されている。
【００２０】
環境からの保護のため、これらの避雷器は外側ハウジング５により囲繞され、そのハウジング５は大抵シリコンからなる。このハウジングは、溶射または鋳造により形成され得る。
【００２１】
電流の沿面距離を増加するために、仕切り（スクリーン）７がハウジング５の外側に形成されている。
【００２２】
既に上述したように、このような避雷器は野外環境で用いられた場合に相当な曲げモーメントを受ける。従って、比較的大きい機械的負荷が加えられた場合でさえバリスタブロック１と端部取付け部材との間で接触が維持されるのを確実にすることが必要である。これを達成するために、ガラス繊維強化プラスチックのロッドまたはケーブル９が通常、補強要素として二つの端部取付け部材３の間に挟持される。これらは、バリスタブロック１を二つの端部取付け部材３の間に引張荷重を用いて一体的に保持する。更に、バネ要素がバリスタブロック１の積層へ挿入されることもあり、この方法によれば、気温の変動等が起きた場合でも接触を確実にすることができる。
【００２３】
以下の記載において、本発明へのいかなる限定ともみなされることなく、固定要素はロッド９と称される。
【００２４】
図２は、本発明の第１実施例の避雷器の「かご」を示す。説明を容易にするために、バリスタブロック１および積層の他の構成要素は省略した。本実施例を説明するため、二つの端部取付け部材３のうち一つは分解した構造で図示されている。図３は、Ａ−Ａ線に沿った断面図を示す。
【００２５】
図２および図３において、端部取付け部材３の円周に沿って均一角度をなす間隔で８本のロッド９が配置されている。
【００２６】
端部取付け部材３は、第１部分３Ａと第２部分３Ｂとを有する。その第１部分３Ａは、ガラス繊維強化ロッド９用の、ネジ山のつけられていない穴（ネジなし穴）１１を８つ有し、そして同様に締め付けネジ１５用のネジ穴１３Ａを８つ有し、そのネジなし穴１１とネジ穴１３Ａとは端部取付け部材の第１部分３Ａの円周に沿って交互に配置されている。当業者は必要に応じて締め付けネジ接続およびロッド９の適切な数を選択し得る。例えばバリスタブロック１が環形状の場合には、一つのみの締め付けネジおよび／または一本のみの（中央）ロッドで済ますことが原理上は可能である。しかし、三つ以上のロッドが、端部取付け部材の円周に沿って分散して配置されるのが好ましく、そしてその様な場合、バリスタブロック１は（円）筒形の円盤の形状で配置される。
【００２７】
図２および図３に示す、本実施例の第２部分３Ｂは、締め付けネジ１５用の８つの対応する貫通穴１３と、ロッド９の上端を保持するための、一面にのみ開口する８つの凹部とを有する。
【００２８】
端部取付け部材３の第１部分３Ａは、中央開口１９を有する環形状をなしている。第２部分３Ｂはその中央に、第１部分３Ａの環と係合することができる案内筒２１を有する。案内筒２１はその内部に、組立て後にロッドに引張荷重をかけてバリスタブロック１の積層を堅固に一体に保持する更に大きなネジ２５またはボルトをネジ締めできる雌ネジ２３を設けられている。
【００２９】
固定要素２７は、各ロッド９の各端部に取り付けられる。この固定要素２７はロッド９に堅固に接続され、そして引張荷重が加えられたときにロッド９が端部取付け部材３に堅固に固定されて維持されることを確実にする。
【００３０】
これらの固定要素２７の一例が断面図の形で図３および図４に示される。この図は、この好適な実施例において、この固定要素２７が、端部取付け部材の第２部分３Ｂおよび第１部分３Ａとどの様に相互作用するかも示す。
【００３１】
図３に示されるように、端部取付け部材の第１部分３Ａのネジなし穴１１は、バリスタブロック１に向く側の第１部としての狭部と、第２部分３Ｂに向く側の第２部としての幅広部とを有し、それらは互いに円錐部を介して連結している。図３は円錐部を示しているが、これは本質的要素ではなく、単純な肩部または段部も同様に使用することができる。ネジなし穴１１は、その狭部でロッド９を密接に囲繞するように、また、その幅広部で固定要素２７を部分的に保持するように設計しなければならない。円錐部または肩部は、固定要素２７を、堅固に、確実に、そしてかみ合い方式で端部取付け部材３に係止できるように、固定要素２７の外側の輪郭に相補的に設計される。
【００３２】
端部取付け部材の第２部分３Ｂの凹部１７は、同様に第１部分３Ａに対向する開放側の第１部としての幅広部分を備え、そして円錐状に段々と細くなる部分を閉止端の側に備える。凹部１７およびネジなし穴１１の寸法は、固定要素２７をかみ合い方式で保持できる大きさである。これは図３の下部に示されている。
【００３３】
一例として、１９３０年代より知られており、市販されている「エルメトねじ継手（Ｅｒｍｅｔｏ  ｓｃｒｅｗ  ｆｉｔｔｉｎｇ）」を固定要素２７として用いることができる。
【００３４】
エルメトねじ継手は、液圧管の接続用の工業技術に用いられ、そして特にパーカーエルメト（Ｐａｒｋｅｒ−Ｅｒｍｅｔｏ）社より市販されている。
【００３５】
本実施例の固定要素２７は、ロッド９の上に係止されると共に引張荷重の方向と反対方向に傾斜した少なくとも一つの刃部２９を有する。
【００３６】
図４は、本発明の本実施例の固定要素２７の詳細図を示す。
【００３７】
図示された固定要素２７の実施例は、第１の食い込み環（ｃｕｔｔｉｎｇ  ｒｉｎｇ）要素２７Ａ、締め付けスリーブ２７Ｂ、および第２の食い込み環要素２７Ｃの三つの部分を具える。二つの食い込み環要素２７Ａ、２７Ｃは、図示された実施例において物理的に同一であり、かつ内径がロッド９の外径に適合するスリーブを備える。図示された実施例において、二つの食い込み環２９または刃部は、いずれの場合にも食い込み環要素２７Ａ、２７Ｃのスリーブの内側に形成され、そして使用中にロッド９の表面に食い込む。その刃部は、好ましくは意図する引張荷重に対し反対方向へ傾斜している。食い込み環要素２７Ａ、２７Ｃの材料は、一定の弾性を有する。食い込み環は、溝を設けられても良い。
【００３８】
食い込み環要素２７Ａ、２７Ｃの外側の輪郭は、食い込み環の部分で円錐形であり、意図する引張荷重の方向へと次第に増加する直径を有する。
【００３９】
締め付けスリーブ２７Ｂは、円錐状に先細になる内部形状を有し、その内部形状は食い込み環要素２７Ａ、２７Ｃの外側の輪郭に相補的なものである。締め付けスリーブ２７Ｂと食い込み環要素２７Ａとが嵌め合わされ、そしてロッド９の軸線方向へ一緒に押圧されると、食い込み環要素２７Ａの外側の輪郭と締め付けスリーブの内側の形状との相補的な傾斜に起因して、食い込み環はロッド９へ向けて推進され、ロッド９へ食い込む。従って、単一の食い込み環または複数の食い込み環のその角度を持った配置は、結果としてロッド９と食い込み環との間のかみ合い接続を生じ、そのかみ合い接続は引張荷重がロッドに加えられた時にますます範囲が増大するので、より堅固にロッド９を保持する。この周知の食い込み環の原理は、１９３０年代より液圧管の接続に用いられており、引張荷重が加えられた時に固定要素２７がロッド９に優れた方式で保持されることを確実にする。
【００４０】
上述したように、図４は第２の食い込み環要素２７Ｃを示す。端部取付け部材の第２部分３Ｂの凹部１７により締め付けスリーブの目的が達成できるので、この食い込み環要素２７Ｃには個別の締め付けスリーブは具えられていない。
【００４１】
図４において、食い込み環２７Ａ、２７Ｃはそれぞれ、二つの食い込み環２９を有している。一つのみの食い込み環、または三つ以上の食い込み環を備える変形例も、同様に可能である。
【００４２】
食い込み環要素２７Ａ、２７Ｃは、意図する引張荷重の方向に向く、食い込み環要素２７Ａ、２７Ｃの端部で内側が滑らかに設計されており、そしてその外側の輪郭を意図する引張荷重の方向へと減少する直径を有する比較的急勾配の第２の円錐部で終わっている。
【００４３】
この第２の円錐部は、締め付けスリーブ２７Ｂまたは端部取付け部材３の第１部分３Ａのネジなし穴１１の対応箇所に組み合わされる。食い込み環要素２７Ｃおよび締め付けスリーブ２７Ｂ、並びに／または、食い込み環要素２７Ａおよび端部取付け部材３の第１部分３Ａによる軸の締め付けは、食い込み環要素２７Ａ、２７Ｃの変形した形状に起因して生じ、そして、この変形は食い込み環要素２７Ａ、２７Ｂとロッド９との間の圧力嵌め接続をもたらす。管接続用の食い込み環の技術において、これらの食い込み環は液圧流体の追加のシールに用いられる。
【００４４】
この圧力嵌め接続は、ロッド９が固定要素２７に保持される一因となるが、このことの本発明にとっての重要度は二次的なものであり、そして全部が欠けても良い。一例として、食い込み環要素２７Ａ、２７Ｃの第２の円錐部は不要である。その結果、ネジなし穴１１に位置する締め付けスリーブ２７Ｂは、相補的な第２の円錐部を設計する必要が無く、例えば単純な肩部または段部を有する。
【００４５】
この食い込み環接続は、食い込み環２９が非常に深くはロッド９に食い込まないので、ロッド９の弱体化をもたらす深刻な損傷を避けることを可能にする。更に、図４に示すように、複数の食い込み環２９を前後に配置することができる。
【００４６】
図１から図４に示すような本発明に係る避雷器を組み立てるために、バリスタブロック１の積層、および任意の金属ブロックが、二つの端部取付け部材３の環形状の第１部分３Ａの間に配置される。そして、ロッド９を貫通させるために端部取付け部材３の第１部分３Ａに設けられたネジなし穴１１を、ロッド９が貫通する。
【００４７】
積層の一側において、ロッド９は標準長さを有するように位置し、そして固定要素２７が押し込まれる。次に端部取付け部材の第２部分３Ｂが、この一側に取り付けられる。端部取付け部材の第１部分３Ａおよび第２部分３Ｂは互いに、端部取付け部材の第２部分３Ｂのネジなし穴１３を貫通して端部取付け部材の第１部分３Ａのネジ穴１３Ａに螺合する第１締め付けネジ１５を用いて堅固に締め付けられる。図２に示すように、端部取付け部材の二つの部分は、固定要素２７を対応する凹部に完全に保持し、かつ囲繞できるように設計されている。
【００４８】
そして、締め付けネジ２５が端部取付け部材の中央開口を通ってネジ締めされ、バリスタブロック１の上、または、アルミニウム若しくはステンレス鋼よりなり、バリスタブロック１の最上部と端部取付け部材３との間に配置されるカムディスクの上に係止される。
【００４９】
その後、ロッド９はバリスタブロックの反対側に固定要素２７を設けられる。
【００５０】
この場合も同様に、既に述べたように、端部取付け部材３の第２部分３Ｂは、第１の締め付けネジ１５を用いて第１部分３Ａに対して嵌め込まれて締め付けられる。
【００５１】
大きな第２の締め付けネジ２５は、端部取付け部材３の中央のネジ山を貫通し、対応するカムディスクまたはバリスタブロックの最上部に係止される。下部および上部の中央の大きな締め付けネジ２５は、トルクレンチを用いて締め付けられ、これによりバリスタブロックの積層が所定の圧力で一体的に保持される。
【００５２】
この方法で形成されたかごは、次に外側ハウジングを設けられる。これは、バリスタブロックの積層、ロッド９、および端部取付け部材３の、押し出しコーティングまたは封入成形により有利になされる。低粘性シリコンが、プラスチック製外側ハウジングの材料として適していると考えられる。これらの低粘性シリコンは、市販されており、そして既に従来技術においてハウジング用に使用されている。
【００５３】
仕切り７は、ハウジング５の形成と同時に成型することができる。これと代替的に、最初にハウジングを円筒型に作り、その後に仕切り７を別個に製造することもできる。そして、仕切り７は機械的ひずみ解除（ｍｅｃｈａｎｉｃａｌ  ｓｔｒａｉｎ  ｒｅｌｉｅｆ）および／または接着によりハウジング５に取り付けられる。仕切り７の別個の取り付けは確かに、避雷器のコストを増加させる追加の工程を意味するが、よごれに起因して沿面電流が発達できる、避雷器に沿った長手方向の継目を避けることを可能にする。
【００５４】
図５は、本発明に係る避雷器の代替的な実施例を示す。
【００５５】
図２から図４に示される実施例と異なり、ロッド９は円形の断面を有さない。図５に示されるロッド９の形状は、バリスタブロック１の積層の外側の輪郭と適合している。従って、ロッド９が同一の引張強度に対してより薄いから、避雷器の外側ハウジング５は全体的に薄く設計できる。このことは、低粘性シリコンが高価なので利点となる。
【００５６】
この様なガラス繊維強化ロッド９を、例えば円形に対するセグメントの形状で用いた場合、一方で食い込み環接続の方式を、その輪郭がロッド９に適合する一つ以上の食い込み刃３１を、ロッドを囲繞する一つの連続的な食い込み環の代わりに設けるように改良する必要がある。このことは、断面形状で図５に示されている。
【００５７】
図６は、本実施例の端部取付け部材３および固定要素２７の更に細部を詳細に示すものである。
【００５８】
図５および図６に示される実施例において、端部取付け部材３は再び二つの部分から形成される。内側部分３Ｃは、環形状または中空円筒形状に設計され、そして締め付けネジ２５が貫通して延在できる雌ネジ３１を有する。好ましくは、ガイド溝がこの内側部分に沿って形成され、そして図６から理解できるように、そのガイド溝の輪郭はロッド９の輪郭に対応したものである。端部取付け部材の内側部分３Ｃは、端部取付け部材のカップ形状の外側部分３Ｄにより囲繞され、そのカップの内径は内側部分の溝の外側の領域の外径に適合している。カップ形状の外側部分３Ｄは、僅かに円錐形状となるように設計され、意図する引張荷重の方向に、換言するとバリスタブロック１の積層の中央に向かって先細になっている。くさび３３が、ロッド９と端部取付け部材の外側部分３Ｄとの間に取り付けられ、そして同様にバリスタブロック１の積層の中央に向かって先細になっている。
【００５９】
一つ以上の食い込み刃２９が、ロッド９の長手方向に対して横方向に、くさび３３の側面にロッド９と対向して形成され、そしてこれらの食い込み刃２９は、意図する引張荷重の方向と反対方向へ鋭角をなし、バリスタブロックの積層の中央に向かう。同様にガラス繊維強化ロッド９の形状に適合する相補的な食い込み刃２９Ａが、端部取付け部材の内側部分３Ｃのガイド溝に形成されても良いが、これは図示されていない。
【００６０】
好ましくは複数の食い込み刃２９は、くさび３３と端部取付け部材３の内側部分との双方に形成される。
【００６１】
引張荷重が加えられると、ロッド９は一方で、くさび３３を用いて端部取付け部材の内側部分３Ｃと外側部分３Ｄとの間の圧力嵌めにより保持される。他方で、ロッド９は更に、一方でくさび３３とロッド９との間で、そして他方で端部取付け部材の内側部分３Ｃとロッド９との間で、食い込み刃２９によりかみ合い方式で保持される。
【００６２】
図２から図４に示される実施例を超える本実施例の利点は、組立工程が簡易化されることである。一旦、ロッド９が二つの端部取付け部材３に設けられ、そしてバリスタブロックの積層の周りに配置されれば、くさび３３は端部取付け部材のカップ形状をした外側部分３Ｄの底面の相応する開口３７を貫通できる。一旦くさび３３が打ち込まれると、端部取付け部材の内側部分３Ｃの中心を通る締め付けネジ２５を用いて加えられる所望の圧力を全構造が有し得る。
【００６３】
次に、図２から図４に示される実施例のように、外側のプラスチック製ハウジング５が取り付けられる。
【００６４】
図５および図６に示される実施例では、端部取付け部材の内側部分３Ｃがガイド溝３５を有した形で示されているが、これは本質的要素ではない。これに代え、または加えて、端部取付け部材の外側部分３Ｄも、完全に省略し得る単独のガイド溝または複数のガイド溝３５を備えることができる。しかし、この場合においても、端部取付け部材の内側部分と外側部分との間に隙間が残り、そしてその隙間はハウジング５の形成中にシリコンエラストマーで埋められなければならない。
【００６５】
更に有利な改良に従い、端部取付け部材でのロッド９の更なる固着のために追加的に接着剤を用いることもできる。例えば、直前に述べた実施例の場合において、端部取付け部材の外側部分と内側部分との間の隙間は、この隙間が接着剤で完全に埋まるまで接着剤を充填することができる。
【００６６】
本発明の好適な実施例について上述したが、本発明はこれらの実施例に限定されるものではない。特に、食い込み刃または食い込み環の数は所望に応じて自由に選択できる。ロッドの外層への食い込みによる食い込み環のかみ合い接続に加え、または代えて、過度の引張荷重が無いと予測される場合には、フレキシブル食い込み環も、ロッドの表面に何れの損傷を与えることなく締め付けにより達成される圧力嵌め接続を可能にする。一例として、避雷器が直接取り付けたハウジング５を備えておらず、ガラス繊維強化プラスチックからなる管、またはセラミック製のハウジング内に挿入されている、管型の避雷器と称されるような場合の状況である。この場合においては、機械力の相当な割合が管自体によって吸収され、そしてロッドは単に追加の安定化要素として使用されて、予想される引張強度が低減される。
【００６７】
端部取付け部材へのロッドの固定は、図示した実施例のそれぞれの場合においてバリスタブロックの積層の両側で同一の方法により実施されたが、これは必須ではない。一例として、ガラス繊維強化ロッドの代わりにケーブルも用いることができ、そしてケーブルは端部取付け部材の一方に対する固定目的で肩部を通り、反対側の端部取付け部材のみで本発明に係る固定要素により固定される。
【図面の簡単な説明】
【００６８】
【図１】外側ハウジングの一部を切り取った、一般的な型式の避雷器の全体図である。
【図２】本発明に係る避雷器のかごを、端部取付け部材と共に示す分解斜視図である。
【図３】図２のＡ−Ａ線に沿う断面図である。
【図４】図２および図３に示されるような本発明にかかる避雷器に用いられる、食い込み環を用いた固定要素の原理を示す説明図である。
【図５】本発明にかかる避雷器の代替的な改良例を示す説明図である。
【図６】図５に示す食い込み要素を用いたロッドの詳細図である。
【符号の説明】
【００６９】
１  バリスタブロック
３  端部取付け部材
３Ａ  第１部分
３Ｂ  第２部分
３Ｃ  内側部分
３Ｄ  外側部分
４  中央ネジ
５  ハウジング
７  仕切り
９  ロッド、ケーブル
１１  ネジなし穴
１３  ネジなし穴
１３Ａ  ネジ穴
１５  締め付けネジ
１７  凹部
１９  開口
２１  案内筒
２３  雌ネジ
２５  ネジ
２７  固定要素
２７Ａ  第１の食い込み環要素
２７Ｂ  締め付けスリーブ
２７Ｃ  第２の食い込み環要素
２９  食い込み環、刃部、食い込み刃
３１  雌ネジ
３３  くさび
【図１】
2008543036.tif 000003
【図２】
2008543036.tif 000004
【図３】
2008543036.tif 000005
【図４】
2008543036.tif 000006
【図５】
2008543036.tif 000007
【図６】
2008543036.tif 000008
【国際調査報告】
2008543036.tif 000009
2008543036.tif 000010
2008543036.tif 000011
2008543036.tif 000012